(57)【要約】【課題】利用者が車両の位置情報の収集処理を意識することなく、利用者が携帯する携帯端末に位置情報を登録できる位置取得送信装置及びこれを用いた車載情報処理システムを提供する。【解決手段】自動車状態モニタ部８によって自車両２の停止が検出されると、位置情報取得部５で測定された自車両２の位置情報を、無線通信でＧＰＳ付き携帯端末４に送信する。【選択図】図１
2010256974.tif 000002
【特許請求の範囲】
【請求項１】
自身の位置情報を検出する手段を有した携帯端末に自車両の位置情報を送信する位置取得送信装置において、
前記自車両の位置情報を測定する位置情報取得部と、
前記自車両の状態を検出する状態検出部と、
前記携帯端末との間で無線通信する無線通信部と、
前記状態検出部によって前記自車両の停止が検出されると、前記位置情報取得部で測定された自車両の位置情報を、前記無線通信部の無線通信で前記携帯端末に送信するデータ処理部とを備えた位置取得送信装置。
【請求項２】
所定の場所の位置情報が記録された２次元コードを読み取る２次元コード読み取り部と、
前記２次元コード読み取り部で読み取られた前記２次元コードを解析して前記位置情報を取得する２次元コード解析部とを備え、
データ処理部は、自車両の停止が検出された際に、位置情報取得部が自車両の位置情報を測定できない場合、前記２次元コード解析部によって前記自車両が停止した場所の位置情報が取得されていれば、当該位置情報を携帯端末に送信することを特徴とする請求項１記載の位置取得送信装置。
【請求項３】
２次元コード読み取り部は、車両外部を撮影するカメラであることを特徴とする請求項２記載の位置取得送信装置。
【請求項４】
２次元コード読み取り部は、路面状態を検出して当該路面上に形成された２次元コードを読み取る路面状態検出センサであることを特徴とする請求項２記載の位置取得送信装置。
【請求項５】
所定の場所の位置情報が記録された音波情報を読み取る音波情報読み取り部と、
前記音波情報読み取り部で読み取られた前記音波情報を解析して前記位置情報を取得する音波情報解析部とを備え、
データ処理部は、自車両の停止が検出された際に、位置情報取得部が自車両の位置情報を測定できない場合、前記音波情報解析部によって前記自車両が停止した場所の位置情報が取得されていれば、当該位置情報を携帯端末に送信することを特徴とする請求項１記載の位置取得送信装置。
【請求項６】
音波情報読み取り部は、位置情報が記録された超音波を検出する超音波センサであることを特徴とする請求項５記載の位置取得送信装置。
【発明の詳細な説明】
【技術分野】
【０００１】
この発明は、駐車位置等の車両の位置情報を取得して利用者が所持する携帯端末に送信する位置取得送信装置に関するものである。
【背景技術】
【０００２】
大規模な商業施設や娯楽施設等にある広大な駐車スペースを有する駐車場では、運転手やその他乗員の記憶のみで駐車位置を把握しようとすると自車位置が分からなくなる場合がある。この場合、自車を見つけるために無駄な時間がかかる上、車両の入退が多い駐車場内を歩き回ると事故が発生する可能性もある。駐車場に関する情報が利用される従来の技術としては、例えば特許文献１〜５に開示されるものがある。
【０００３】
特許文献１には、顧客の駐車位置を管理し、駐車位置まで顧客を誘導する駐車場管理システムが開示されている。このシステムは、駐車場の近傍地図情報を管理する管理サーバと、２次元コードを読み取り解析するユーザ端末とを備える。２次元コードは、駐車場の各駐車スペースに設けられ、各駐車スペースの位置情報が記録されている。駐車した際、ユーザ端末で自車の駐車位置に対応する２次元コードを読み取っておき、駐車位置を探索するにあたり、予め読み取っておいた２次元コードの解析結果から得られた駐車位置情報を管理サーバに送信し、管理サーバは、受信した駐車位置情報に対応する近傍地図情報を応答する。これにより、ユーザ端末では、近傍地図上に現在位置と駐車位置が表示され、この表示内容に従って自車を探索することができる。
【０００４】
特許文献２には、自車位置に応じた駐車場に関する情報を提供する駐車場情報検索システムが開示されている。このシステムは、各地域の駐車場の地図情報を一覧として管理する駐車場情報センタと、この駐車場情報センタと双方向通信が可能な携帯電話端末とを備えており、駐車場情報センタが、現在位置情報を送信した携帯電話端末に対し、この現在位置に応じた地域の駐車場の一覧情報を提供する。携帯電話端末では、この一覧情報から特定した駐車場の地図情報を駐車場情報センタに要求することで、駐車場情報センタから現在位置と当該駐車場との間を結ぶ経路を含む地図情報を取得できる。
【０００５】
特許文献３の車両位置検索システムは、駐車位置を測定する位置測定装置を備えた情報端末装置と、駐車位置情報を管理する管理センタとを備え、駐車時に、情報端末装置が、自車の駐車位置を管理センタに送信して予め登録しておく。自車を探索するにあたり、情報端末装置を用いて管理センタに駐車位置の問い合わせを行い、管理センタが、駐車位置情報を応答する。この駐車位置情報に基づいて自車の駐車位置を情報端末装置の表示部に表示することにより、利用者は効率よく自車を探索できる。
【０００６】
特許文献４に開示される車両検索装置は、端末装置からの要求に応じて、この端末装置を車両に誘導する無線誘導波を送出する車載の本体装置と、本体装置からの無線誘導波の受信結果を表示する端末装置とを備えており、本体装置は、ユーザ認証された携帯装置に対して無線誘導波を送信する。これにより、携帯装置では、無線誘導波の到来方向などに応じた表示を行い、この表示を手掛かりとして自車位置を知ることができる。
【０００７】
特許文献５には、自車両の出発地から目的地までの経路探索を行う車載用のナビゲーション装置と、利用者が携帯する測位機能を有した携帯用のナビゲーション装置を備えたナビゲーション装置が開示されている。この装置では、車載用のナビゲーション装置が、自車位置を測位している間、この車載用と携帯用のナビゲーション装置とを接続しておき、測位によって得られた自車位置情報を携帯用のナビゲーション装置へ転送して保持する。これにより、携帯用のナビゲーション装置では、自車の駐車位置等を探索するにあたり、この自車位置情報（例えば、駐車位置）に基づいて、自身の測位機能により現在位置から自車位置までの経路を把握することができる。
【先行技術文献】
【特許文献】
【０００８】
【特許文献１】特開２００４−１９９１７７号公報
【特許文献２】特開２００３−１０９１９７号公報
【特許文献３】特開２００３−０８５６９６号公報
【特許文献４】特開２００２−１９７５６６号公報
【特許文献５】特開２００２−１８１５５５号公報
【発明の概要】
【発明が解決しようとする課題】
【０００９】
特許文献１〜３に代表される従来の技術では、駐車場の情報を管理する管理側装置が、多数のユーザからの駐車位置情報の要求にそれぞれ対応しなければならず、実用的には、通信インフラを含めた大規模な設備が必要である。このように設備が大規模になる場合、これに応じて費用も必要であるため、システム導入が敬遠される原因となる。
【００１０】
また、特許文献１，３では、自車を駐車した際に、前処理として、その駐車位置情報を携帯端末に読み込んでおくか、管理側装置へ登録しておく必要がある。このため、利用者が常に前処理を意識していなければならず、当該前処理を忘れた場合、システムの利用ができない。
【００１１】
さらに、特許文献４は、本体装置からの無線誘導波を受信できる場所に携帯装置が存在しなければならず、駐車場から遠距離に移動してしまったり、駐車スペースが広大な場合には自車を探索できない。特許文献５では、車載用のナビゲーション装置が自車位置を測位している間、携帯電話などの携帯用のナビゲーション装置を接続しておかなければならない。このため、接続を忘れた場合、自車位置が携帯用のナビゲーション装置に登録されないため、システムを利用できない。
【００１２】
この発明は、上記のような課題を解決するためになされたもので、管理側装置のような専用装置が不要であり、かつ簡単な機能構成の追加により実現することができ、また利用者が車両の位置情報の収集処理を意識することなく、利用者が携帯する携帯端末に位置情報を登録できる位置取得送信装置を得ることを目的とする。
【課題を解決するための手段】
【００１３】
この発明に係る位置取得送信装置は、自身の位置情報を検出する手段を有した携帯端末に自車両の位置情報を送信する位置取得送信装置において、自車両の位置情報を測定する位置情報取得部と、自車両の状態を検出する状態検出部と、携帯端末との間で無線通信する無線通信部と、状態検出部によって自車両の停止が検出されると、位置情報取得部で測定された自車両の位置情報を、無線通信部の無線通信で携帯端末に送信するデータ処理部とを備えるものである。
【発明の効果】
【００１４】
この発明によれば、状態検出部によって自車両の停止が検出されると、位置情報取得部で測定された自車両の位置情報を、無線通信で自身の位置情報を検出する手段を有した携帯端末に送信する。このように構成することで、管理側装置のような専用装置が不要であり、かつ簡単な機能構成の追加により実現することができ、また利用者が車両の位置情報の収集処理を意識することなく、利用者が携帯する携帯端末に位置情報を登録できるという効果がある。
【図面の簡単な説明】
【００１５】
【図１】この発明の実施の形態１による車載情報処理システムの構成を示すブロック図である。
【図２】実施の形態１の車載情報処理システムによる動作の流れを示すフローチャートである。
【図３】実施の形態１のＧＰＳ付き携帯端末による駐車位置誘導処理の概要を示す図である。
【図４】この発明の実施の形態２による駐車場情報の取得処理の一例を示す図である。
【図５】実施の形態２による車載情報処理システムの構成を示すブロック図である。
【図６】実施の形態２の車載情報処理システムによる動作の流れを示すフローチャートである。
【図７】２次元コード取得処理の一例を示す図である。
【図８】２次元コード取得処理の他の例を示す図である。
【図９】駐車場情報の取得処理の一例を示す図である。
【発明を実施するための形態】
【００１６】
実施の形態１．
図１は、この発明の実施の形態１による車載情報処理システムの構成を示すブロック図であり、この発明を駐車位置誘導システムに適用した場合を示している。図１において、実施の形態１による車載情報処理システム１は、車両２に搭載された車載情報処理装置３及びユーザが携帯するＧＰＳ付き携帯端末４を備える。車載情報処理装置３は、この発明の位置取得送信装置として機能する情報処理装置であり、例えばカーナビゲーション装置の１つの機能として実現される。また、車載情報処理装置３は、位置情報取得部５、データ処理部６、ユーザインタフェース部７、自動車状態モニタ部（状態検出部）８及び外部機器インタフェース部９を備える。
【００１７】
位置情報取得部５は、ＧＰＳ（Global Positioning System）を用いて自身を搭載する車両２の位置情報を取得する構成部である。データ処理部６は、車載情報処理装置３内の各構成部からのデータを処理する構成部であり、車載情報処理装置３として機能するコンピュータのＣＰＵに相当する。
【００１８】
ユーザインタフェース部７は、ユーザの情報入力やユーザへの情報表示を行う構成部であり、キーボード若しくはタッチパネル等の入力手段や、液晶モニタなどの表示手段、及び、情報入力や表示を行うためのソフトウェアによって実現される。自動車状態モニタ部８は、走行状態などの車両２の状態をモニタする構成部であり、車速センサ等の車両２の状態を検知するセンサから構成される。
【００１９】
外部機器インタフェース部９は、車載情報処理装置３の外部機器とのインタフェースであり、短距離無線通信を行う無線通信部９ａや赤外線通信の通信部９ｂ、有線の通信回線を接続するコネクタ９ｃ等を備える。この外部機器インタフェース部９を介して、外部機器との間で、Ｂｌｕｅｔｏｏｔｈ（登録商標）や無線ＬＡＮ（Local Area Network）、赤外線等のＮＦＣ（Near Field Communication）による通信が実行される。
【００２０】
また、ＧＰＳ付き携帯端末４は、車載情報処理装置３から取得した車両２の位置情報に基づく車両２の位置まで案内誘導を行う携帯端末であり、位置情報取得部１０、データ処理部１１、ユーザインタフェース部１２、公衆網接続装置１３及び外部機器インタフェース部１４を備える。
【００２１】
位置情報取得部（自身の位置情報を検出する手段）１０は、位置情報取得部５と同様に、ＧＰＳを用いて自身の位置情報を取得する構成部である。データ処理部１１は、ＧＰＳ付き携帯端末４内の各構成部からのデータを処理する構成部であり、ＧＰＳ付き携帯端末４として機能するマイクロコンピュータのＣＰＵに相当する。
【００２２】
ユーザインタフェース部１２は、ユーザの情報入力やユーザへの情報表示を行う構成部であり、ユーザインタフェース部７と同様に、キーボード若しくはタッチパネル等の入力手段や、液晶モニタなどの表示手段、及び、情報入力や表示を行うためのソフトウェアによって実現される。公衆網接続装置１３は、電話回線網やＬＡＮ等の公衆通信網と通信接続する機能を有する装置である。
【００２３】
外部機器インタフェース部１４は、ＧＰＳ付き携帯端末４の外部機器とのインタフェースであり、短距離無線通信を行う無線通信部１４ａや赤外線通信の通信部１４ｂ、有線の通信回線を接続するコネクタ１４ｃ等を備える。この外部機器インタフェース部１４を介して外部機器（例えば車載情報処理装置３）との間で、Ｂｌｕｅｔｏｏｔｈや無線ＬＡＮ、赤外線等のＮＦＣによって情報交換がなされる。
【００２４】
次に動作について説明する。
図２は、実施の形態１の車載情報処理システムによる動作の流れを示すフローチャートであり、この図に沿って、車載情報処理装置３で取得した車両２の駐車位置をＧＰＳ付き携帯端末４へ送信する場合の処理を説明する。以降では、車載情報処理装置３をカーナビゲーション装置の１つの機能として適用した場合について示している。
【００２５】
先ず、ユーザが車両２を駐車スペースに入れる（ステップＳＴ１）。このとき、車載情報処理装置３の位置情報取得部５は、ＧＰＳを用いて自身を搭載した車両２の現在位置を測定しており、車両２の現在位置に関する情報（ＧＰＳ情報）を取得すると、データ処理部６に送信する。データ処理部６は、位置情報取得部５からの位置情報の受信の有無によって、位置情報取得部５における現在の測位状況（ＧＰＳの状態）を確認する（ステップＳＴ２）。
【００２６】
次に、ユーザが駐車スペースに入れた車両２のエンジンを停止する。このエンジン停止は、自動車状態モニタ部８によって検知され、データ処理部６に通知される（ステップＳＴ３）。データ処理部６では、自動車状態モニタ部８からエンジン停止が通知されると、エンジン停止時に位置情報取得部５から車両２の現在位置情報（ＧＰＳ情報）を受信していれば（屋外）、外部機器インタフェース部９の無線通信部９ａを介した近距離無線通信で、車両２の駐車位置情報（車両２のＧＰＳ情報と駐車場及びその周辺の地図情報）をＧＰＳ付き携帯端末４へ送信し、エンジン停止時に車両２の現在位置情報を受信していなければ（屋内）、「位置情報取得エラー」の状態である旨をＧＰＳ付き携帯端末４へ通知する（ステップＳＴ４）。
【００２７】
ＧＰＳ付き携帯端末４は、外部機器インタフェース部１４の無線通信部１４ａを介した近距離無線通信で、車両２の駐車位置情報若しくは「位置情報取得エラー」の状態である旨の通知を受信する。この受信情報は、外部機器インタフェース部１４からデータ処理部１１へ渡される。この後、車載情報処理装置３のデータ処理部６は、カーナビゲーション装置の電源をオフする（ステップＳＴ５）。
【００２８】
図３は、実施の形態１のＧＰＳ付き携帯端末による駐車位置誘導処理の概要を示す図である。ＧＰＳ付き携帯端末４には、駐車場検索アプリケーションが予め搭載されている。データ処理部６は、この駐車場検索アプリケーションを実行することにより、車載情報処理装置３から受信した駐車位置情報を用いて、図３に示すように、ユーザインタフェース部１２の表示画面に駐車場の地図を表示し、位置情報取得部１０が測定した自身の現在位置１５ａと車両２の駐車位置１５ｂとの関係を当該地図上に表示する。また、自身の現在位置１５ａと車両２の駐車位置１５ｂとを結ぶ誘導経路１６を表示してもよい。
【００２９】
以上のように、この実施の形態１によれば、自動車状態モニタ部８によって自車両２の停止が検出されると、位置情報取得部５で測定された自車両２の位置情報を、無線通信でＧＰＳ付き携帯端末４に送信する。このように構成することで、管理側装置のような専用装置が不要であり、かつカーナビゲーション装置等の車載情報処理装置に簡単な機能構成を追加することで実現することができる。また、ユーザが車両２の位置情報の収集処理を意識することなく、ＧＰＳ付き携帯端末４に車両２の位置情報を登録することができる。
【００３０】
実施の形態２．
上記実施の形態１では、ＧＰＳから車両２の位置を示すＧＰＳ情報が位置情報取得部５で正常に受信できなければ、ＧＰＳ付き携帯端末４に対して駐車位置誘導の際に必要な駐車位置情報を与えることができない。このため、ＧＰＳ情報を受信できない屋内に駐車スペースがある場合、ＧＰＳ付き携帯端末４で駐車位置誘導を行うことができない。
一方、近年の駐車場には、駐車スペースの位置を特定する駐車場情報が記録されたＱＲコード（登録商標；以下記載を省略する）等のような２次元コードが駐車場管理設備として設けられている場合がある。
そこで、この実施の形態２では、上述の２次元コードを読み取る手段を備えることで、位置情報取得部５が位置情報を取得できなくても、当該２次元コードを解読して得られた駐車場情報に基づいて、ＧＰＳ付き携帯端末４で駐車位置誘導を行うことができる。
【００３１】
図４は、この発明の実施の形態２による駐車場情報の取得処理の一例を示す図である。図４に示す例では、車両２の後方を撮影するバックカメラ（２次元コード読み取り部、カメラ）１７で２次元コード１８を撮影し、この２次元コード１８を解読して駐車場情報を取得する場合を示している。なお、２次元コード１８は、例えば屋内駐車場の壁面１９に貼り付けておき、当該壁面１９に対して車両２が後ろ向きになるようにバックさせた際、バックカメラ１７で撮影される。
【００３２】
図４に示すように、駐車場位置グループの位置情報（絶対値）である駐車スペースの北緯や東緯、高度、階数、アプリケーションのＵＲＬ（Uniform Resource Locator）等が、駐車場情報として２次元コード１８に記録される。アプリケーションには、実施の形態１で示した駐車場検索アプリケーション等がある。また、アプリケーションをＪＡＶＡ（登録商標；以下記載を省略）アプリケーションとすることにより、特別なソフトウェアを搭載することなく、ブラウザソフトで実行できる。
【００３３】
図５は、実施の形態２による車載情報処理システムの構成を示すブロック図であり、この発明を駐車位置誘導システムに適用した場合を示している。図５において、実施の形態２による車載情報処理装置３は、上記実施の形態１で図１を用いて説明した構成に加え、バックカメラ１７、カメラインタフェース部２０及び２次元コード解析部２１を備える。
【００３４】
バックカメラ１７は、駐車スペースに車両２を駐車する際に２次元コード１８を撮影する構成部であり、車両２の後方確認用カメラを利用して実現することができる。カメラインタフェース部２０は、バックカメラ１７と２次元コード解析部２１及びデータ処理部６との間のインタフェースである。２次元コード解析部２１は、バックカメラ１７で撮影された２次元コード１８を解析して駐車場情報を取得する構成部である。なお、図５において、車載情報処理装置３のその他の構成及びＧＰＳ付き携帯端末４の構成は図１と同一であるので説明を省略する。
【００３５】
次に動作について説明する。
図６は、実施の形態２の車載情報処理システムによる動作の流れを示すフローチャートであり、この図に沿って２次元コード１８から取得された駐車場情報をＧＰＳ付き携帯端末４へ送信する場合の処理を説明する。以降では、車載情報処理装置３をカーナビゲーション装置の１つの機能として適用した場合について示している。
【００３６】
先ず、ユーザが、車両２を屋内駐車場の駐車スペースに入れる（ステップＳＴ１ａ）。この屋内駐車場には、図４で示したように駐車場壁面１９に駐車場情報が記録された２次元コード１８が貼り付けられており、車両２を駐車スペースにバックで入れると、バックカメラ１７が２次元コード１８側に向くようになっている。このとき、２次元コード解析部２１は、カメラインタフェース部２０を介してバックカメラ１７から入力される２次元コード１８を認識可能か否かを判定する（ステップＳＴ２ａ）。
【００３７】
認識可能であれば（ステップＳＴ２ａ；ＹＥＳ）、２次元コード解析部２１は、バックカメラ１７で撮影された２次元コード１８の画像情報を解析して、２次元コード１８に記録されている駐車場情報（車両２の位置情報）を抽出し、データ処理部６に出力する。データ処理部６では、２次元コード解析部２１から取得した駐車場情報をメモリ（図５において不図示）に一時的に保存する（ステップＳＴ３ａ）。
【００３８】
バックカメラ１７で２次元コード１８を認識できない場合（ステップＳＴ２ａ；ＮＯ）若しくはステップＳＴ３ａの処理が完了すると、データ処理部６では、位置情報取得部５からの位置情報の受信の有無によって、位置情報取得部５における現在の測位状況（ＧＰＳの状態）を確認する（ステップＳＴ４ａ）。
【００３９】
次に、ユーザが駐車スペースに入れた車両２のエンジンを停止する。このエンジン停止は、自動車状態モニタ部８によって検知され、データ処理部６に通知される（ステップＳＴ５ａ）。
【００４０】
データ処理部６は、自動車状態モニタ部８からエンジン停止を検知した旨が通知されると、エンジン停止時における位置情報取得部５の測位状況及び２次元コード解析部２１からの駐車場情報の取得状況に応じて、下記の（１）〜（３）のいずれかの処理を実行する（ステップＳＴ６ａ）。
（１）エンジン停止時に位置情報取得部５から車両２の現在位置情報（ＧＰＳ情報）を受信していれば（屋外）、外部機器インタフェース部９の無線通信部９ａを介した近距離無線通信で、車両２の駐車位置情報（車両２のＧＰＳ情報と駐車場及びその周辺の地図情報）をＧＰＳ付き携帯端末４へ送信する。
（２）エンジン停止時に位置情報取得部５から車両２の現在位置情報（ＧＰＳ情報）を受信できないが（屋内）、２次元コード解析部２１から駐車場情報を取得していれば、外部機器インタフェース部９の無線通信部９ａを介した近距離無線通信で、駐車場及びその周辺の地図情報に加えて当該駐車場情報をＧＰＳ付き携帯端末４へ送信する。
（３）エンジン停止時に車両２の現在位置情報を受信できず（屋内）、かつ２次元コード解析部２１から駐車場情報も取得できなければ、「位置情報取得エラー」の状態である旨をＧＰＳ付き携帯端末４へ通知する。
【００４１】
この後、ＧＰＳ付き携帯端末４では、外部機器インタフェース部１４の無線通信部１４ａを介した近距離無線通信で、車両２の駐車位置情報、駐車場情報若しくは「位置情報取得エラー」の状態である旨の通知を受信する。この受信情報は、外部機器インタフェース部１４からデータ処理部１１へ渡される。これにより、上記実施の形態１と同様に、車両２の駐車位置情報又は駐車場情報を利用して駐車場検索アプリケーションを実行することで、ＧＰＳ付き携帯端末４で駐車位置誘導を行うことができる。ステップＳＴ６ａの処理が完了すると、車載情報処理装置３のデータ処理部６は、カーナビゲーション装置の電源をオフする（ステップＳＴ７ａ）。
【００４２】
以上のように、この実施の形態２によれば、駐車場の位置情報が記録された２次元コードを読み取るバックカメラ１７と、バックカメラ１７で読み取られた２次元コードを解析して位置情報を取得する２次元コード解析部２１とを備え、データ処理部６が、自車両２の停止が検出された際に、位置情報取得部５が自車両２の位置情報を測定できない場合、２次元コード解析部２１によって自車両２が停止した場所の位置情報が取得されていれば、当該位置情報をＧＰＳ付き携帯端末４に送信する。このように構成することで、上記実施の形態１と同様に、管理側装置のような専用装置が不要であり、かつカーナビゲーション装置等の車載情報処理装置に簡単な機能構成を追加することで実現することができる。また、後方確認用のバックカメラ１７を利用して、２次元コードから駐車場の特定に必要な地図を含む車両２の位置情報を取得するので、ユーザが車両２の位置情報の収集処理を意識することなく、ＧＰＳ付き携帯端末４に車両２の位置情報を登録することができる。これにより、ユーザは、ＧＰＳ付き携帯端末４の表示情報を参照するだけで、車両２を駐車した場所を特定できる。
【００４３】
なお、上記実施の形態２では、バックカメラ１７を利用して駐車場情報を取得する構成を示したが、車両２の前方に設けた前方確認用カメラや、車両２の前方の地面を撮影するカメラを利用した構成であってもよい。
【００４４】
図７は、２次元コード取得処理の一例を示す図である。図７において、駐車場の特定に必要な地図を含む駐車場情報が記録された２次元コード１８ａは、駐車スペース付近に配置されたポールや柱等の固定物２２に貼り付けられる。駐車場情報が記録された２次元コード１８ｂは、駐車スペースの地面にタイル等を用いて形成する。
【００４５】
車両２の前方確認用カメラを利用した撮影手段によって、図７に示すように車両２を駐車スペースに入れた際、固定物２２に貼られた２次元コード１８ａを撮影できる。また、車両２の前方の地面を撮影するカメラを利用した撮影手段であれば、地面に形成した２次元コード１８ｂを撮影できる。このようにすることでも、ユーザが意識することなく、車両２の位置情報を取得することが可能である。
【００４６】
また、図８は、２次元コード取得処理の他の例を示す図である。図８に示す例では、車両２の前方確認用のフロントカメラ（２次元コード読み取り部、カメラ）１７ａ、若しくは、車両２の前方に設けた路面確認用センサ（２次元コード読み取り部、路面状態検出センサ）２３を用いて、駐車スペースの地面に形成されたバーコード（駐車場情報が記録されたもの）の２次元コード１８ｃが読み取られる。２次元コード１８ｃは、駐車スペースの地面にペイントあるいは舗装状態で２値の状態を形成して構成する。車両２を駐車スペースに入れる際、車両２を直線的に走行させると、フロントカメラ１７ａ若しくは路面確認用センサ２３が、２次元コード１８ｃを順に読み取る。
【００４７】
路面確認用センサ２３は、反射式フォトインタラプタなど、ペイントあるいは舗装状態で地面に形成された２値の状態を読み取るプローブとして、舗装状態を検出する。
【００４８】
図９は、駐車場情報の取得処理の一例を示す図である。図９に示す例では、駐車場情報を超音波で伝達する超音波スピーカ２５を駐車場壁面１９に取り付け、車両２が接近すると、車両２の後部に設けた超音波センサ（音波情報読み取り部、路面状態検出センサ）２４が、超音波スピーカ２５からの駐車場情報を検出する。この超音波センサ２４で読み取られた超音波情報を解析して駐車場情報を取得する解析部を備えることにより、データ処理部６が、自車両２の停止が検出された際に、位置情報取得部５が自車両の位置情報を測定できない場合、当該解析部によって自車両２が停止した場所の位置情報が取得されていれば、当該位置情報を携帯端末に送信する。
なお、超音波センサ２４には、車両２の後方にある障害物の確認用の超音波センサ等を利用する。
【００４９】
また、上記実施の形態２において、２次元コードを表示する電光掲示板を設け、駐車場情報以外の付加情報を記録した２次元コードを表示してもよい。付加情報としては、例えば、駐車場付近の店舗の広告情報等が考えられる。
【符号の説明】
【００５０】
１  車載情報処理システム、２  車両、３  車載情報処理装置、４  ＧＰＳ付き携帯端末、５，１０  位置情報取得部、６，１１  データ処理部、７，１２  ユーザインタフェース部、８  自動車状態モニタ部（状態検出部）、９，１４  外部機器インタフェース部、９ａ，１４ａ  無線通信部、９ｂ，１４ｂ  通信部、９ｃ，１４ｃ  コネクタ、１５ａ  現在位置、１５ｂ  駐車位置、１６  経路、１７  バックカメラ（読み取り部、カメラ）、１７ａ  フロントカメラ（読み取り部、カメラ）、１８，１８ａ，１８ｂ，１８ｃ  ２次元コード、１９  壁面、２０  カメラインタフェース部、２１  ２次元コード解析部、２２  固定物、２３  路面確認用センサ（読み取り部、路面状態検出センサ）、２４  超音波センサ（音波情報読み取り部、路面状態検出センサ）、２５  超音波スピーカ。
【図１】
2010256974.tif 000003
【図２】
2010256974.tif 000004
【図３】
2010256974.tif 000005
【図４】
2010256974.tif 000006
【図５】
2010256974.tif 000007
【図６】
2010256974.tif 000008
【図７】
2010256974.tif 000009
【図８】
2010256974.tif 000010
【図９】
2010256974.tif 000011